(57)【要約】【課題】ロール型トイレットペーパを切断後、トイレットペーパの切断面がトイレットペーパホルダ上蓋の下側に留まったままに成る為、次にトイレットペーパを引き出す際、トイレットペーパホルダ上蓋を一旦上に持ち上げるなどの動作が必要であった。【解決手段】トイレットペーパホルダ上蓋の内側に接着剤、あるいは、両面テープで本発明品を固定し、トイレットペーパ切断後、トイレットペーパホルダ上蓋を自動的に上に持ち上げ、トイレットペーパを引き出す為の、たとえば、人差し指と中指を差し込める空間を確保し、トイレットペーパを引き出し易くする。【選択図】図１
2015205111.tif 000002
【特許請求の範囲】
【請求項１】
ロール型トイレットペーパを切断後、トイレットペーパの切断面がトイレットペーパホルダ上蓋の下側に留まったままに成る為、次にトイレットペーパを引き出す際、トイレットペーパホルダ上蓋を一旦上に持ち上げ、たとえば、人差し指と中指を差し込みトイレットペーパの切断面を掴みトイレットペーパを引き出す必要が有ったが、本発明は、トイレットペーパを切断後トイレットペーパホルダ上蓋を自動的に上に持ち上げ、たとえば、人差し指と中指を差し込む空間を確保しトイレットペーパを引き出し易くする為の、トイレットペーパホルダ上蓋持ち上げ器である。
【発明の詳細な説明】
【技術分野】
【０００１】
ロール型トイレットペーパを切断後、トイレットペーパの切断面がトイレットペーパホルダ上蓋の下側に留まったままに成る為、次にトイレットペーパを引き出す際、トイレットペーパホルダ上蓋を一旦上に持ち上げ、たとえば、人差し指と中指を差し込みトイレットペーパの切断面を掴みトイレットペーパを引き出す必要が有ったが、本発明は、トイレットペーパを切断後トイレットペーパホルダ上蓋を自動的に上に持ち上げ、たとえば、人差し指と中指を差し込む空間を確保しトイレットペーパを引き出し易くする為の、トイレットペーパホルダ上蓋持ち上げ器に関するものである。
本発明品は、トイレットペーパホルダ上蓋の内側に接着剤、あるいは、両面テープで固定し使用できる。
【背景技術】
【０００２】
トイレットペーパを切断する際、上蓋を上から押さえるが、その上から押さえる力で内蔵のバネに蓄勢し、トイレットペーパを切断後上蓋を押さえていた手を離すと、そのバネの復元力で上蓋を持ち上げるものである。
【先行技術文献】
【特許文献】
【０００３】
【特許文献１】特開２００１-２５２２１５
【発明の概要】
【発明が解決しようとする課題】
【０００４】
ロール型トイレットペーパを切断後、トイレットペーパの切断面がトイレットペーパホルダ上蓋の下側に留まったままになっている為に、次にトイレットペーパを引き出す際、一旦上蓋を持上げる動作が必要で有る為、不自由であった。
【課題を解決するための手段】
【０００５】
本発明は、本発明品をトイレットペーパホルダ上蓋の内側に接着剤、あるいは、両面テープで固定し使用するものであり、トイレットペーパを切断後、トイレットペーパホルダの上蓋を押さえていた手を放すと、内蔵のバネの復元力でトイレットペーパホルダ上蓋を上に持ち上げる。
【発明の効果】
【０００６】
本発明品をトイレットペーパホルダに装着することで、トイレットペーパを容易に引き出すことが可能となる為、不自由さが低減できる。
また、既設のトイレットペーパホルダに簡単に装着して使用できる為、使用範囲は格段に広い。
【図面の簡単な説明】
【０００７】
【図１】図１は、本発明品をトイレットペーパホルダの上蓋に装着した時の側面図である。トイレットペーパを切断、押さえていた手を離した後、上蓋が自動的に上側に持ち上がった状態を示す。
【図２】図２は、３個の主要部品の内のひとつ、本体１を示す。
【図３】図３は、３個の主要部品の内のひとつ、本体２を示す。
【図４】図４は、３個の主要部品の内のひとつ、本体３を示す。
【図５】図５は、本発明品をトイレットペーパホルダの上蓋に装着した時の側面図と底面図である。
【図６】図６は、本体１と本体２を回転軸を介し合体させた状態を示す。また、本体２は、本体２と本体３の垂れ下がりを制限するストッパーを有する。
【図７】図７は、本体２と本体３を回転軸を介し合体させた状態を示す。更に、本体３を跳ね上げるバネを回転軸と同軸に配置している状態を示す。また、本体２は本体３の跳ね上げを制限するストッパーを有する。
【図８】図８は、トイレットペーパを使用開始した頃のトイレットペーパが十分残っている時で、トイレットペーパ切断後上蓋を跳ね上げた時の状態を示す。跳ね上げはストッパーで制止される。
【図９】図９は、トイレットペーパを使用開始した頃のトイレットペーパが十分残っている時で、上蓋を上から押さえトイレットペーパを切断する状態を示す。
【図１０】図１０は、トイレットペーパを使用し終わる頃のトイレットペーパがほとんど残っていない時で、トイレットペーパ切断後上蓋を跳ね上げた時の状態を示す。跳ね上げはストッパーで制限される。
【図１１】図１１は、トイレットペーパを使用し終わる頃のトイレットペーパがほとんど残っていない時で、上蓋を上から押さえトイレットペーパを切断する状態を示す。
【図１２】図１２は、トイレットペーパを使い終わりトイレットペーパホルダからトイレットペーパの芯を外した時の状態を示す。
【発明を実施するための形態】
【０００８】
本発明品は、接着剤か、両面テープでトイレットペーパホルダ上蓋の内側に固定される。
トイレットペーパ切断時は、トイレットペーパホルダの上蓋はその紙切断面がトイレットペーパに密着するまで手で下に押さえつけられる。その際、本発明品の本体３は上蓋に押さえ付けられ、回転軸用丸金具を中心に下方向に回転する。
トイレットペーパ切断後、上蓋を押さえ付けていた手を放すと本体２と本体３の回転軸用丸金具に取り付けられたバネで本体３は回転軸を中心にしながら上方向に回転、跳ね上がる。跳ね上げと同時に本体３でトイレットペーパホルダの上蓋を上に押し上げる。
本体３は、トイレットペーパの切断部を２本の指、たとえば、人差し指と中指で挟んで引き出す際、この２本の指が容易に入る程度の隙間を確保したらストッバで本体２の回転を制止する。
【実施例】
【０００９】
図１は、本発明品、トイレットペーパホルダ上蓋（図１の７）、トイレットペーパ（図１の８）を含む全体を示す側面図である。本図は、本発明品をトイレットペーパホルダ上蓋の内側に両面テープ（図１の４）を使用し装着した例を示す。
本発明品は、主に本体１（図１の１）本体２（図１の２）、本体３（図１の３）で構成される。
図９は、トイレットペーパ（図９の８）を使用開始した頃のトイレットペーパが十分残っている時で、トイレットペーパ切断時の状態を示す。
トイレットペーパ切断時は、トイレットペーパホルダの上蓋（図９の７）はその紙切断面がトイレットペーパに密着するまで手で下に押さえつけられる。その際、本発明品の本体３（図９の３）は上蓋に押さえ付けられ、回転軸を中心に下方向に回転する。同時に、回転軸と同軸に回転軸用丸金具（図９の６）に配置されたバネ（図９の５）は蓄勢する。
図８は、トイレットペーパ（図８の８）を使用開始した頃のトイレットペーパが十分残っている時で、トイレットペーパ切断後上蓋（図８の７）を跳ね上げた時の状態を示す。
図７は、本体２（図７の２）と本体３（図７の３）を回転軸用丸金具（図７の６）を介し合体させた状態を示す。更に、本体３を跳ね上げるバネ（図７の５）を回転軸と同軸に配置している状態を示す。トイレットペーパ切断時、トイレットペーパホルダの上蓋（図８の７）を上から押さえ付けた時蓄勢されたバネ（図７の５）は、その復元力で本体３（図７の３）を上に跳ね上げる。同時に、本体３は、トイレットペーパホルダ上蓋（図７の７）を上に押し上げる。
また、本体２は本体３の跳ね上げを制限するストッパー（図７の１１）を有し、跳ね上げはそのストッパーで制止される。
図１１は、トイレットペーパ（図１１の８）を使用し終わる頃のトイレットペーパがほとんど残っていない時で、トイレットペーパ切断時の状態を示す。
各部の動作、働きは、図９で示す使用開始した頃のトイレットペーパが十分残っている時と同じである。
図１０は、トイレットペーパ（図１０の８）を使用し終わる頃のトイレットペーパがほとんど残っていない時で、トイレットペーパ切断後上蓋（図１０の７）を跳ね上げた時の状態を示す。
各部の動作、働きは、図８で示す使用開始した頃のトイレットペーパが十分残っている時と同じである。
図１２は、トイレットペーパを使い終わりトイレットペーパホルダからトイレットペーパの芯を外した時の状態を示す。
トイレットペーパの芯を外した時、トイレットペーパホルダの上蓋（図１２の７）は、トイレットペーパを固定するトイレットペーパホルダの爪の所で止まる。
新しいトイレットペーパをトイレットペーパホルダに装着する際、トイレットペーパを下から上に動かしながら装着するが、同時に本発明品をトイレットペーパで上に押し上げながら装着できるように、垂れ下がりを一定の角度に保たせる為に、本発明品の本体２（図１２の２）と本体３（図１２の３）の垂れ下がりを本体２のストッパー（図１２の１０）で制限している。
【産業上の利用可能性】
【００１０】
既設のトイレットペーパホルダに装着して使用できるばかりではなく、新規のトイレットペーパホルダに元々同様の機能を持たせることも可能である。
【符号の説明】
【００１１】
１  本体１
２   本体２
３   本体３
４   両面テープ
５   バネ
６   回転軸用丸金具
７   トイレットペーパーホルダの上蓋
８   トイレットペーパー
９   トイレットペーパーの切れ端
１０ 回転ストッパー１
１１ 回転ストッパー２
１２ 回転軸用丸穴
１３ トイレットペーパーの芯
【図１】
2015205111.tif 000003
【図２】
2015205111.tif 000004
【図３】
2015205111.tif 000005
【図４】
2015205111.tif 000006
【図５】
2015205111.tif 000007
【図６】
2015205111.tif 000008
【図７】
2015205111.tif 000009
【図８】
2015205111.tif 000010
【図９】
2015205111.tif 000011
【図１０】
2015205111.tif 000012
【図１１】
2015205111.tif 000013
【図１２】
2015205111.tif 000014